(57)【要約】【課題】一つの磁気センサが有するヒステリシスによるＯＮ信号とＯＦＦ信号との検知距離を変えることができるスイッチ装置を提供すること。【解決手段】本発明のスイッチ装置は、少なくとも１つの磁石１３と複数の磁気センサ１１、１２とを用い、ＯＮ信号及びＯＦＦ信号を出力する磁力が互いに異なる第１の磁気センサ１１と第２の磁気センサ１２とを備え、第１の磁気センサ１１は、磁石１３に近づく方向で出力するＯＮ信号を用い、第２の磁気センサ１２は、磁石１３から遠ざかる方向で出力するＯＦＦ信号を用いることを特徴とする。【選択図】        図１
2013191290.tif 000002
【特許請求の範囲】
【請求項１】
少なくとも１つの磁石と複数の磁気センサとを用いたスイッチ装置であって、ＯＮ信号及びＯＦＦ信号を出力する磁力が互いに異なる第１の磁気センサと第２の磁気センサとを備え、前記第１の磁気センサは、前記磁石に近づく方向で出力するＯＮ信号を用い、前記第２の磁気センサは、前記磁石から遠ざかる方向で出力するＯＦＦ信号を用いることを特徴とするスイッチ装置。
【請求項２】
前記第２の磁気センサが、前記第１の磁気センサのＯＮ信号よりも低い磁力でＯＦＦ信号を出力する特性を有し、前記第１の磁気センサのＯＮ信号と、前記第２の磁気センサのＯＦＦ信号を用いることを特徴とする請求項１に記載のスイッチ装置。
【請求項３】
第１の部材と、前記第１の部材に対して移動する第２の部材とを有し、前記第１の磁気センサと前記第２の磁気センサとを前記第１の部材に設け、前記磁石を前記第２の部材に設けたことを特徴とする請求項１又は請求項２に記載のスイッチ装置。
【請求項４】
前記第１の磁気センサから前記磁石までの距離と、前記第２の磁気センサから前記磁石までの距離が等しくなる位置に、前記第１の磁気センサと前記第２の磁気センサとを配置したことを特徴とする請求項３に記載のスイッチ装置。
【請求項５】
前記第１の部材がリモコン本体であり、前記第２の部材が開閉扉であり、前記開閉扉には扉側操作釦が配置され、前記リモコン本体には前記開閉扉が閉状態で前記扉側操作釦の直下に位置する本体側操作釦が配置され、前記第１の磁気センサのＯＮ信号によって前記開閉扉が閉であると判定する閉検知手段と、前記第２の磁気センサのＯＦＦ信号によって前記開閉扉が開であると判定する開検知手段と、前記開検知手段で前記開閉扉の開が検知されると前記扉側操作釦による操作情報を指示する扉側釦指示手段と、前記閉検知手段で前記開閉扉の閉が検知されると前記本体側操作釦による操作情報を指示する本体側釦指示手段とを備えたことを特徴とする請求項３又は請求項４に記載のスイッチ装置。
【発明の詳細な説明】
【技術分野】
【０００１】
本発明は、例えばリモコンに用いられるスイッチ装置に関する。
【背景技術】
【０００２】
近年、操作機器の高機能化により、リモコンの釦数が増加している。リモコンは、形状を極端に大きくすることは出来ないため、釦の配置を開閉扉の上下の二重構造とし、下の釦を直接押したとき、上の釦を介して下の釦を押したときで異なるコードを出力させている。
そして、開閉扉の開閉検知に磁気センサを使用する場合では、単一の磁気センサを使用し、釦の配置が出来ない磁束密度間には、扉の上部に釦を配置しない構造とすることが一般的である。
すなわち、磁気センサは、ヒステリシスによってＯＮになる磁束密度とＯＦＦになる磁束密度が異なり、ＯＮとＯＦＦの両方の状態が存在する距離では正しい検知ができない。そのため、上記の磁束密度間には二重構造の釦配置ができない。
特許文献１では、複数の状態を取りうる電子機器において、少数の磁石および磁気センサで電子機器の状態を検知する技術が提案されている。
【先行技術文献】
【特許文献】
【０００３】
【特許文献１】特開２０１０−２３９５７４号公報
【発明の概要】
【発明が解決しようとする課題】
【０００４】
特許文献１は、用いる磁気センサを少なくするものであるが、本発明は、単一の磁気センサでは一定の範囲を持ってしまう磁束密度による検知距離に着目している。
【０００５】
本発明は、一つの磁気センサが有するヒステリシスによるＯＮ信号とＯＦＦ信号との検知距離を変えることができるスイッチ装置を提供することを目的とする。
【課題を解決するための手段】
【０００６】
請求項１記載の本発明のスイッチ装置は、少なくとも１つの磁石と複数の磁気センサとを用いたスイッチ装置であって、ＯＮ信号及びＯＦＦ信号を出力する磁力が互いに異なる第１の磁気センサと第２の磁気センサとを備え、前記第１の磁気センサは、前記磁石に近づく方向で出力するＯＮ信号を用い、前記第２の磁気センサは、前記磁石から遠ざかる方向で出力するＯＦＦ信号を用いることを特徴とする。
請求項２記載の本発明は、請求項１に記載のスイッチ装置において、前記第２の磁気センサが、前記第１の磁気センサのＯＮ信号よりも低い磁力でＯＦＦ信号を出力する特性を有し、前記第１の磁気センサのＯＮ信号と、前記第２の磁気センサのＯＦＦ信号を用いることを特徴とする。
請求項３記載の本発明は、請求項１又は請求項２に記載のスイッチ装置において、第１の部材と、前記第１の部材に対して移動する第２の部材とを有し、前記第１の磁気センサと前記第２の磁気センサとを前記第１の部材に設け、前記磁石を前記第２の部材に設けたことを特徴とする。
請求項４記載の本発明は、請求項３に記載のスイッチ装置において、前記第１の磁気センサから前記磁石までの距離と、前記第２の磁気センサから前記磁石までの距離が等しくなる位置に、前記第１の磁気センサと前記第２の磁気センサとを配置したことを特徴とする。
請求項５記載の本発明は、請求項３又は請求項４に記載のスイッチ装置において、前記第１の部材がリモコン本体であり、前記第２の部材が開閉扉であり、前記開閉扉には扉側操作釦が配置され、前記リモコン本体には前記開閉扉が閉状態で前記扉側操作釦の直下に位置する本体側操作釦が配置され、前記第１の磁気センサのＯＮ信号によって前記開閉扉が閉であると判定する閉検知手段と、前記第２の磁気センサのＯＦＦ信号によって前記開閉扉が開であると判定する開検知手段と、前記開検知手段で前記開閉扉の開が検知されると前記扉側操作釦による操作情報を指示する扉側釦指示手段と、前記閉検知手段で前記開閉扉の閉が検知されると前記本体側操作釦による操作情報を指示する本体側釦指示手段とを備えたことを特徴とする。
【発明の効果】
【０００７】
本発明によれば、一つの磁気センサが有するヒステリシスによるＯＮ信号とＯＦＦ信号との検知距離を、第１の磁気センサのＯＮ信号と第２の磁気センサのＯＦＦ信号を用いることで変えることができる。
【図面の簡単な説明】
【０００８】
【図１】本発明の一実施例によるスイッチ装置をリモコンに適用した場合を示す正面図
【図２】同スイッチ装置の側面図
【図３】同スイッチ装置に用いる２つの磁気センサの特性図
【図４】同スイッチ装置の制御手段を示すブロック図
【発明を実施するための形態】
【０００９】
本発明の第１の実施の形態によるスイッチ装置は、ＯＮ信号及びＯＦＦ信号を出力する磁力が互いに異なる第１の磁気センサと第２の磁気センサとを備え、第１の磁気センサは、磁石に近づく方向で出力するＯＮ信号を用い、第２の磁気センサは、磁石から遠ざかる方向で出力するＯＦＦ信号を用いるものである。本実施の形態によれば、一つの磁気センサが有するヒステリシスによるＯＮ信号とＯＦＦ信号との検知距離を、第１の磁気センサのＯＮ信号と第２の磁気センサのＯＦＦ信号を用いることで変えることができる。
【００１０】
本発明の第２の実施の形態は、第１の実施の形態によるスイッチ装置において、第２の磁気センサが、第１の磁気センサのＯＮ信号よりも低い磁力でＯＦＦ信号を出力する特性を有し、第１の磁気センサのＯＮ信号と、第２の磁気センサのＯＦＦ信号を用いるものである。本実施の形態によれば、一つの磁気センサが有するヒステリシスによるＯＮ信号とＯＦＦ信号との検知距離を、第１の磁気センサのＯＮ信号と第２の磁気センサのＯＦＦ信号を用いることで狭くすることができる。
【００１１】
本発明の第３の実施の形態は、第１又は第２の実施の形態によるスイッチ装置において、第１の部材と、第１の部材に対して移動する第２の部材とを有し、第１の磁気センサと第２の磁気センサとを第１の部材に設け、磁石を第２の部材に設けたものである。本実施の形態によれば、第１の部材に対する第２の部材の近接離間を検知することができる。
【００１２】
本発明の第４の実施の形態は、第３の実施の形態によるスイッチ装置において、第１の磁気センサから磁石までの距離と、第２の磁気センサから磁石までの距離が等しくなる位置に、第１の磁気センサと第２の磁気センサとを配置したものである。本実施の形態によれば、２つの磁気センサにおける磁石までの距離が等しいため、ＯＮ信号とＯＦＦ信号の出力位置を調整しやすい。
【００１３】
本発明の第５の実施の形態は、第３又は第４の実施の形態によるスイッチ装置において、第１の部材がリモコン本体であり、第２の部材が開閉扉であり、開閉扉には扉側操作釦が配置され、リモコン本体には開閉扉が閉状態で扉側操作釦の直下に位置する本体側操作釦が配置され、第１の磁気センサのＯＮ信号によって開閉扉が閉であると判定する閉検知手段と、第２の磁気センサのＯＦＦ信号によって開閉扉が開であると判定する開検知手段と、開検知手段で開閉扉の開が検知されると扉側操作釦による操作情報を指示する扉側釦指示手段と、閉検知手段で開閉扉の閉が検知されると本体側操作釦による操作情報を指示する本体側釦指示手段とを備えたものである。本実施の形態によれば、ＯＮ信号とＯＦＦ信号との検知距離を狭くできるため、複数機能を持つ釦を配置できる範囲を広めることができ、開閉扉の開閉途中での操作釦の誤動作を無くすことができる。
【実施例】
【００１４】
以下本発明の一実施例によるスイッチ装置について説明する。
図１は本実施例によるスイッチ装置をリモコンに適用した場合を示す正面図、図２は同スイッチ装置の側面図である。
【００１５】
図１に示すように、本実施例によるスイッチ装置は、リモコン本体（第１の部材）１と、リモコン本体１に対して移動する開閉扉（第２の部材）２とを有している。
リモコン本体１には、第１の磁気センサ１１と第２の磁気センサ１２とを設け、開閉扉２には磁石１３を設けている。
第１の磁気センサ１１と第２の磁気センサ１２とは、第１の磁気センサ１１から磁石１３までの距離と、第２の磁気センサ１２から磁石１３までの距離が等しくなる位置に配置している。
開閉扉２には扉側操作釦２１が配置され、リモコン本体１には開閉扉２が閉状態で扉側操作釦２１の直下に位置する本体側操作釦２２が配置されている。
また、リモコン本体１には、赤外線送信部３を備えている。
なお、本実施例では、２つの磁気センサ１１、１２と１つの磁石１３を用いたが、３つ以上の磁気センサを用いてもよく、また２つ以上の磁石を用いてもよい。
【００１６】
図３は、本実施例によるスイッチ装置に用いる２つの磁気センサの特性図である。
図３では、横軸が磁気センサ１１、１２と磁石との距離、縦軸が検出磁力である。
第１の磁気センサ１１は、磁石１３に近づき、磁石１３との距離が６ｍｍとなったときに、それまでの０Ｖから３Ｖを出力する。この時の３Ｖの出力がＯＮ信号となる。また、３Ｖを出力している第１の磁気センサ１１を磁石１３から遠ざけていくと、磁石１３との距離が１８ｍｍとなったときに、それまでの３Ｖから０Ｖを出力する。この時の０Ｖの出力がＯＦＦ信号となる。
第２の磁気センサ１２は、磁石１３に近づき、磁石１３との距離が２ｍｍとなったときに、それまでの０Ｖから３Ｖを出力する。この時の３Ｖの出力がＯＮ信号となる。また、３Ｖを出力している第２の磁気センサ１２を磁石１３から遠ざけていくと、磁石１３との距離が１０ｍｍとなったときに、それまでの３Ｖから０Ｖを出力する。この時の０Ｖの出力がＯＦＦ信号となる。
【００１７】
このように、第１の磁気センサ１１と第２の磁気センサ１２とは、ＯＮ信号及びＯＦＦ信号を出力する磁力が互いに異なるものを用いる。
また、第２の磁気センサ１２には、第１の磁気センサ１１のＯＮ信号よりも低い磁力でＯＦＦ信号を出力する特性を有するものを用いる。
第１の磁気センサ１１は、磁石１３に近づく方向で出力するＯＮ信号を用い、第２の磁気センサ１２は、磁石１３から遠ざかる方向で出力するＯＦＦ信号を用いる。
そして、第１の磁気センサ１１のＯＮ信号と、第２の磁気センサ１２のＯＦＦ信号を用いることで、一つの磁気センサが有するヒステリシスによるＯＮ信号とＯＦＦ信号との検知距離を変えることができる。
【００１８】
図４は、本実施例によるスイッチ装置の制御手段を示すブロック図である。
本実施例によるスイッチ装置の制御手段３０は、第１の磁気センサ１１のＯＮ信号によって開閉扉２が閉であると判定する閉検知手段３１と、第２の磁気センサ１２のＯＦＦ信号によって開閉扉２が開であると判定する開検知手段３２と、開検知手段３１で開閉扉２の開が検知されると扉側操作釦２１による操作情報を指示する扉側釦指示手段３３と、閉検知手段３２で開閉扉２の閉が検知されると本体側操作釦２２による操作情報を指示する本体側釦指示手段３４とを備えている。
扉側釦指示手段３３又は本体側釦指示手段３４で指示する操作情報は、赤外線送信部３から機器本体に送信され、操作情報が出力される。
【００１９】
以上のように、本実施例によれば、第１の磁気センサ１１は、磁石１３に近づく方向で出力するＯＮ信号を用い、第２の磁気センサ１２は、磁石１３から遠ざかる方向で出力するＯＦＦ信号を用いることで、一つの磁気センサが有するヒステリシスによるＯＮ信号とＯＦＦ信号との検知距離を、第１の磁気センサ１１のＯＮ信号と第２の磁気センサ１２のＯＦＦ信号を用いることで変えることができる。
また本実施例は、第２の磁気センサ１２が、第１の磁気センサ１１のＯＮ信号よりも低い磁力でＯＦＦ信号を出力する特性を有することで、一つの磁気センサが有するヒステリシスによるＯＮ信号とＯＦＦ信号との検知距離を、第１の磁気センサ１１のＯＮ信号と第２の磁気センサ１２のＯＦＦ信号を用いることで狭くすることができる。
また本実施例では、第１の磁気センサ１１と第２の磁気センサ１２とをリモコン本体１に設け、磁石１３を開閉扉２に設けたことで、リモコン本体１に対する開閉扉２の近接離間を検知することができる。
また本実施例では、２つの磁気センサ１１、１２における磁石からの距離を等しくすることで、ＯＮ信号とＯＦＦ信号の出力位置を調整しやすい。
また本実施例では、ＯＮ信号とＯＦＦ信号との検知距離を狭くできるため、複数機能を持つ釦を配置できる範囲を広めることができ、開閉扉２の開閉途中での操作釦の誤動作を無くすことができる。
【産業上の利用可能性】
【００２０】
本発明は、第１の部材に対して移動する第２の部材の動作状態を検知するスイッチ装置に適用できる。
【符号の説明】
【００２１】
１  リモコン本体（第１の部材）
２  開閉扉（第２の部材）
１１  第１の磁気センサ
１２  第２の磁気センサ
２１  扉側操作釦
２２  本体側操作釦
３１  閉検知手段
３２  開検知手段
３３  扉側釦指示手段
３４  本体側釦指示手段
【図１】
2013191290.tif 000003
【図２】
2013191290.tif 000004
【図３】
2013191290.tif 000005
【図４】
2013191290.tif 000006